(57)【要約】【課題】  電子機器の小型化と多機能化との両立を図りつつ高い操作性が得られる入力装置及びそれを備えた電子機器を提供する。【解決手段】  セレクトボタン５〜８を備え、セレクトボタン５〜８には、互いに異なる色の光を発光する発光部をそれぞれ設けた。そして、いずれか１の発光部のみを発光させたり、複数の発光部を同時に発光させたりすることで、セレクトボタン５〜８を、複数の色が択一的に発光可能に構成した。また、１の画面に表示させる設定項目や設定値の数をセレクトボタン５〜８の数を超えない範囲で設定し、設定した数の設定項目や設定値の表示領域を互いに異なる色で１の画面に表示するとともに、ＬＣＤに表示される各設定項目や設定値とセレクトボタン５〜８とを対応付け、セレクトボタン５〜８の色を該ボタン５〜８に対応する設定項目や設定値の表示領域の表示色に発光させるようにした。【選択図】      図４
2005311718.tif 000002
【特許請求の範囲】
【請求項１】
電子機器に備えられる選択可能な複数の選択要素を表示する表示部と、前記表示部に表示された複数の選択要素の中から所望の選択要素を指定する入力を行うための入力操作部とを備えて構成される前記電子機器の入力装置であって、
前記入力操作部を、複数の色を択一的に発光可能に構成された操作体を複数備えて構成し、
１の画面に表示させる選択要素の数を前記入力操作部に備えられる操作体の数を超えない範囲で設定し、設定した数の選択要素の表示領域を互いに異なる色で１の画面に表示させる表示制御部と、
前記表示部に表示される各選択要素と前記各操作体とを対応付け、各操作体の色を当該操作体に対応する選択要素の表示領域の表示色に発光させる発光制御部とを備えることを特徴とする入力装置。
【請求項２】
前記表示制御部は、各画面において表示する選択要素の表示領域以外の領域の表示色を、その選択要素を表示する表示領域の表示色以外の色に設定することを特徴とする請求項１に記載の入力装置。
【請求項３】
前記表示制御部は、前記電子機器に備えられる選択可能な選択要素の総数が前記操作体の数より多いとき、各選択要素を複数の画面に分けて表示させるとともに、それらの画面間で画面の切替えを行うとき、選択要素の表示領域以外の領域の表示色を変化させることを特徴とする請求項１または２に記載の入力装置。
【請求項４】
前記表示制御部は、前記画面の切替えを行うとき、同一の位置に位置する前記表示領域の表示色を他の色に変化させることを特徴とする請求項３に記載の入力装置。
【請求項５】
前記表示制御部は、前記電子機器に備えられる選択可能な選択要素の総数が前記操作体の数より多いとき、それらの選択要素の表示態様をスクロール表示による表示態様とし、前記表示制御部は、前記選択要素をスクロール表示するとき、同一の選択要素を表示する表示領域の表示色を同一とし、前記発光制御部は、位置的に対応する前記表示領域の表示色と同一となるように前記操作体の色を変化させることを特徴とする請求項１または２に記載の入力装置。
【請求項６】
前記表示制御部は、複数の選択要素を前記複数の操作体の配置状態に対応する配置状態で表示させ、前記表示制御部及び発光制御部は、位置関係が対応する選択要素と操作体とを同色に設定することを特徴とする請求項１ないし５のいずれかに記載の入力装置。
【請求項７】
前記発光制御部は、前記操作体に対応する選択要素がないとき、その操作体を消灯させることを特徴とする請求項１ないし６のいずれかに記載の入力装置。
【請求項８】
前記表示制御部は、前記複数の選択要素を階層化し、前記入力操作部により選択要素が指定されると、その指定された選択要素の下層に位置付けられる選択要素を前記表示部に表示させるとともに、前記下層に位置付けられる選択要素の表示領域以外の領域の表示色を、前記指定された選択要素の表示領域の表示色に設定することを特徴とする請求項１ないし７のいずれかに記載の入力装置。
【請求項９】
前記表示制御部は、前記操作体が操作されると、選択要素の表示領域以外の領域の表示色を他の色に変化させることを特徴とする請求項１ないし８のいずれかに記載の入力装置。
【請求項１０】
前記各操作体は、互いに異なる色を発光する複数の半導体発光素子を備えてなり、前記発光制御部は、前記発光させる対象の半導体発光素子の組合せ又は個々の半導体発光素子の発光強度を変えることで、前記操作体の色を変化させることを特徴とする請求項１ないし９のいずれかに記載の入力装置。
【請求項１１】
電子機器に備えられる選択可能な複数の選択要素の中から所望の選択要素を指定する入力を行うための入力装置と、前記入力装置により指定された選択要素にしたがって所定の処理を行う処理部とを備えた電子機器であって、
前記入力装置は、前記請求項１ないし１０のいずれかに記載の入力装置であることを特徴とする電子機器。
【発明の詳細な説明】
【技術分野】
【０００１】
本発明は、電子機器に備えられる各種の機能を設定するための入力装置及びそれを備えた電子機器に関する。
【背景技術】
【０００２】
近年、例えばデジタルカメラ等の電子機器は、小型化が目覚しく進む一方で更なる多機能化が要求されており、電子機器に備えられる各種の機能を設定するための入力装置の構成に工夫が求められている。
【０００３】
例えばデジタルカメラには、画像を表示する画像表示装置が備えられており、デジタルカメラの入力装置は、この画像表示装置と、該画像表示装置に表示される画面の切換えを行ったり、各画面で表示される複数の項目の中から所望の項目を選択したりするためのボタンやスイッチ等の操作部材とを有して構成される。この入力装置の一例を図９に示す。
【０００４】
図９は、従来のデジタルカメラにおける背面の外観を示す図であり、図９に示すデジタルカメラ１００は、撮影画像を表示するＬＣＤ（Liquid Crystal Display）１０１と、機能を設定するための設定画面をＬＣＤ１０１に表示させる指示を入力するためのメニューボタン１０２と、互いに異なる方向に対応して設けられた十字キー１０３ａ〜１０３ｄと、選択した項目や設定値を確定させる指示を入力するための決定ボタン１０４とを備えた入力装置を示している。このような構成を備える入力装置において、或る項目（機能）の設定値を所望の設定値に設定する場合を考える。
【０００５】
図１０，図１１において、右側の図は、十字キー１０３ａ〜１０３ｄ及び決定ボタン１０４の操作状態を示し、左側の図は、その右側に示される操作によってＬＣＤ１０１に表示される画面を示す。なお、操作されたボタンは、黒色で示している。
【０００６】
今、例えば図１０（ａ）〜（ｃ）に示すように、デジタルカメラ１００に備えられる１２個の機能を示す項目が３つの設定画面に分けて表示されるものとし、それらの項目のうち撮影感度を「ＩＳＯ８００」に設定する場合を考える。この場合、従来においては、まず、メニューボタン１０２を操作することで、図１０（ａ）に示すように、第１の設定画面をＬＣＤ１０１に表示させる。
【０００７】
次に、撮影感度の項目は、第３の設定画面にあるので、図１０（ｂ），（ｃ）に示すように、右向きの十字キー１０３ｂを２回操作することで、ＬＣＤ１０１に第３の設定画面を表示させる。なお、図１０（ａ）〜（ｃ）において、最上位置に位置する項目の表示領域に描かれたハッチングは、他の項目の表示領域と表示形態が異なることを示すものであり、仮選択されている項目であることを示している。仮選択の対象となる項目は、上向きの十字キー１０３ａ又は下向きの十字キー１０３ｃを押圧操作するごとに、１つずつ上下に移動する。
【０００８】
次に、仮選択される対象の項目が所望の項目に一致したときに決定ボタン１０４を押圧操作することで、その項目についての設定値の一覧が表示された画面に切換わる。すなわち、図１０（ｄ）に示すように、下向きの十字キー１０３ｃを１回操作することで、撮影感度の項目が仮選択される対象の項目として設定され、図１１（ａ）に示すように、この状態で決定ボタン１０４を押圧操作することで、その撮影感度についての設定値の一覧がＬＣＤ１０１に表示される。
【０００９】
この画面においても、前記項目の選択と同様、上向きの十字キー１０３ａ又は下向きの十字キー１０３ｃを押圧操作するごとに、仮選択される対象の設定値が１つずつ上下に移動する。そして、仮選択される対象の設定値が所望の設定値に一致したときに決定ボタン１０４を押圧操作することで、その項目についての設定値が設定される。すなわち、図１１（ｂ）〜（ｄ）に示すように、下向きの十字キー１０３ｃを３回操作することで、撮影感度「ＩＳＯ８００」が仮選択される対象の撮影感度として設定され、図１１（ｅ）に示すように、この状態で決定ボタン１０４を押圧操作することで、撮影感度の設定値の設定が完了し、ＬＣＤ１０１は撮影画像の表示に戻る。
【００１０】
一方、この入力装置に関連する技術として、例えば下記特許文献１には、複数の動作モードが備えられ、その動作モードの設定を行うためのスイッチと、その設定内容を表示する表示部とを有するカメラにおいて、前記動作モードの設定を容易にすることを目的として、各スイッチを互いに異なる色で予め色分けしておくとともに、各スイッチによって設定される内容が表示される表示部の各表示領域を、対応するスイッチの色に設定する技術が開示されている。
【特許文献１】特開平７−２８１２７４号公報
【発明の開示】
【発明が解決しようとする課題】
【００１１】
前述の十字キーを有する入力装置にあっては、撮影感度を「ＩＳＯ８００」に設定するためには、各種の操作部材（前述の例ではメニューボタン１０２、右向きの十字キー１０３ｂ、下向きの十字キー１０３ｃ及び決定ボタン１０４）を合計９回操作する必要があり操作回数が多く、また、複数種類の操作部材を操作する必要があり、比較的複雑な操作が要求されるため、操作性の向上の余地があると考えられる。さらに、十字キー１０３ａ〜１０３ｄは比較的複雑な構造を有するので、入力装置延いては該入力装置を搭載する電子機器の小型化やコストの抑制を図ることが困難であった。
【００１２】
一方、前記特許文献１の技術においては、スイッチは、その動作モードの設定のみを行うためのものとして備えられたものであるため、設定内容（機能）を増やす場合にはそれに伴ってスイッチの数を増やす必要があり、電子機器の小型化と多機能化とを両立することは困難である。
【００１３】
本発明は、このような事情に鑑みてなされたものであり、電子機器の小型化と多機能化との両立を図りつつ高い操作性が得られる入力装置及びそれを備えた電子機器を提供することを目的とする。
【課題を解決するための手段】
【００１４】
請求項１に記載の発明は、電子機器に備えられる選択可能な複数の選択要素を表示する表示部と、前記表示部に表示された複数の選択要素の中から所望の選択要素を指定する入力を行うための入力操作部とを備えて構成される前記電子機器の入力装置であって、前記入力操作部を、複数の色を択一的に発光可能に構成された操作体を複数備えて構成し、１の画面に表示させる選択要素の数を前記入力操作部に備えられる操作体の数を超えない範囲で設定し、設定した数の選択要素の表示領域を互いに異なる色で１の画面に表示させる表示制御部と、前記表示部に表示される各選択要素と前記各操作体とを対応付け、各操作体の色を当該操作体に対応する選択要素の表示領域の表示色に発光させる発光制御部とを備えることを特徴とする入力装置である。
【００１５】
請求項２に記載の発明は、請求項１に記載の入力装置において、前記表示制御部は、各画面において表示する選択要素の表示領域以外の領域の表示色を、その選択要素を表示する表示領域の表示色以外の色に設定することを特徴とするものである。
【００１６】
請求項３に記載の発明は、請求項１または２に記載の入力装置において、前記表示制御部は、前記電子機器に備えられる選択可能な選択要素の総数が前記操作体の数より多いとき、各選択要素を複数の画面に分けて表示させるとともに、それらの画面間で画面の切替えを行うとき、選択要素の表示領域以外の領域の表示色を変化させるものである。
【００１７】
請求項４に記載の発明は、請求項３に記載の入力装置において、前記表示制御部は、前記画面の切替えを行うとき、同一の位置に位置する前記表示領域の表示色を他の色に変化させることを特徴とするものである。
【００１８】
請求項５に記載の発明は、請求項１または２に記載の入力装置において、前記表示制御部は、前記電子機器に備えられる選択可能な選択要素の総数が前記操作体の数より多いとき、それらの選択要素の表示態様をスクロール表示による表示態様とし、前記表示制御部は、前記選択要素をスクロール表示するとき、同一の選択要素を表示する表示領域の表示色を同一とし、前記発光制御部は、位置的に対応する前記表示領域の表示色と同一となるように前記操作体の色を変化させることを特徴とするものである。
【００１９】
請求項６に記載の発明は、請求項１ないし５のいずれかに記載の入力装置において、前記表示制御部は、複数の選択要素を前記複数の操作体の配置状態に対応する配置状態で表示させ、前記表示制御部及び発光制御部は、位置関係が対応する選択要素と操作体とを同色に設定することを特徴とするものである。
【００２０】
請求項７に記載の発明は、請求項１ないし６のいずれかに記載の入力装置において、前記発光制御部は、前記操作体に対応する選択要素がないとき、その操作体を消灯させることを特徴とするものである。
【００２１】
請求項８に記載の発明は、請求項１ないし７のいずれかに記載の入力装置において、前記表示制御部は、前記複数の選択要素を階層化し、前記入力操作部により選択要素が指定されると、その指定された選択要素の下層に位置付けられる選択要素を前記表示部に表示させるとともに、前記下層に位置付けられる選択要素の表示領域以外の領域の表示色を、前記指定された選択要素の表示領域の表示色に設定することを特徴とするものである。
【００２２】
請求項９に記載の発明は、請求項１ないし８のいずれかに記載の入力装置において、前記表示制御部は、前記操作体が操作されると、選択要素の表示領域以外の領域の表示色を他の色に変化させることを特徴とするものである。
【００２３】
請求項１０に記載の発明は、請求項１ないし９のいずれかに記載の入力装置において、前記各操作体は、互いに異なる色を発光する複数の半導体発光素子を備えてなり、前記発光制御部は、前記発光させる対象の半導体発光素子の組合せ又は個々の半導体発光素子の発光強度を変えることで、前記操作体の色を変化させることを特徴とするものである。
【００２４】
請求項１１に記載の発明は、電子機器に備えられる選択可能な複数の選択要素の中から所望の選択要素を指定する入力を行うための入力装置と、前記入力装置により指定された選択要素にしたがって所定の処理を行う処理部とを備えた電子機器であって、前記入力装置は、前記請求項１ないし１０のいずれかに記載の入力装置であることを特徴とする電子機器である。
【発明の効果】
【００２５】
請求項１に記載の発明によれば、入力操作部を、複数の色を択一的に発光可能に構成された操作体を複数備えて構成し、１の画面に表示させる選択要素の数を入力操作部に備えられる操作体の数を超えない範囲で設定し、設定した数の選択要素の表示領域を互いに異なる色で１の画面に表示させるとともに、表示部に表示される各選択要素と各操作体とを対応付けて、各操作体の色を当該操作体に対応する選択要素の表示領域の表示色に発光させるようにしたので、その選択要素と操作体との対応関係を視覚的に容易に確認させることができ、入力装置の操作性を向上することができる。また、操作部を、複数の色を択一的に発光可能に構成したので、１の操作部に対して複数の選択要素を割り付けることが可能となり、表示部での選択要素の表示方法を工夫することで、従来のように、機能を増やすのに伴って操作部材の数を増やす必要がない。なお、発光させる操作体の色は、当該操作体に対応する選択要素の表示色と同一の色に発光させることができなくても、選択要素の表示色に近似する色であればよい。
【００２６】
請求項２に記載の発明によれば、各画面において表示する選択要素の表示領域以外の領域の表示色を、その選択要素を表示する表示領域の表示色以外の色に設定するようにしたので、選択要素の表示領域がそれ以外の領域と視覚的に区別が付かなくなるのを防止又は抑制することができる。
【００２７】
請求項３に記載の発明によれば、選択要素の総数が操作体の数より多いときには、各選択要素を複数の画面に分けて表示させ、それらの画面間で画面の切替えを行うとき、選択要素の表示領域以外の領域の表示色を変化させるようにしたので、画面の切替わりを視覚的に報知することができる。
【００２８】
請求項４に記載の発明によれば、前記画面の切替えを行うとき、同一の位置に位置する前記表示領域の表示色を他の色に変化させるようにしたので、画面の切替えにより同一の位置に位置する表示領域に表示される選択要素が変化したことを視覚的に報知することができる。
【００２９】
請求項５に記載の発明によれば、電子機器に備えられる選択可能な選択要素の総数が操作体の数より多いとき、それらの選択要素の表示態様をスクロール表示による表示態様とし、選択要素をスクロール表示するとき、同一の選択要素を表示する表示領域の表示色を同一とし、位置的に対応する前記表示領域の表示色と同一となるように操作体の色を変化させるようにしたので、選択要素がスクロール表示されていることを視覚的に容易に確認することができる。
【００３０】
請求項６に記載の発明によれば、複数の選択要素を複数の操作体の配置状態に対応する配置状態で表示させ、位置関係が対応する選択要素と操作体とを同色に設定するようにしたので、選択要素と操作体との対応関係がより視覚的に明確となり、入力装置の操作性をより一層向上することができる。
【００３１】
請求項７に記載の発明によれば、操作体に対応する選択要素がないとき、その操作体を消灯させるようにしたので、不要な操作や誤操作の発生を抑制又は防止することができる。
【００３２】
請求項８に記載の発明によれば、複数の選択要素を階層化し、入力操作部により選択要素が指定されると、その指定された選択要素の下層に位置付けられる選択要素を表示部に表示させるとともに、その下層に位置付けられる選択要素の表示領域以外の領域の表示色を、前記指定された選択要素の表示領域の表示色に設定するようにしたので、表示部に表示された選択要素が選択した選択要素の下層に位置付けられたものであることを視覚的に容易に確認させることができる。
【００３３】
請求項９に記載の発明によれば、操作体が操作されると、選択要素の表示領域以外の領域の表示色を他の色に変化させるようにしたので、選択要素の指定が装置側に受け付けられたことを報知することができる。
【００３４】
請求項１０に記載の発明によれば、各操作体を、互いに異なる色を発光する複数の半導体発光素子を備えて構成し、発光させる対象の半導体発光素子の組合せ又は個々の半導体発光素子の発光強度を変えることで、操作体の色を変化させるようにしたので、比較的簡単な構成で、操作体を、複数の色を択一的に発光可能に構成することができる。
【００３５】
請求項１１に記載の発明によれば、入力装置は、前記請求項１ないし１０のいずれかに記載の入力装置としたので、前記請求項１ないし１０のいずれかに記載の発明の効果を有する電子機器が得られる。
【発明を実施するための最良の形態】
【００３６】
以下、本発明に係る撮像装置の実施形態を図面に基づいて説明する。図１は、撮像装置の外観の構成を示す背面図である。
【００３７】
図１に示すように、本実施形態に係る撮像装置１は、箱形の装置本体１Ａの背面には、ファインダー２と、ＬＣＤ（Liquid Crystal Display）３と、メニューボタン４と、セレクトボタン５〜８とが配設されている。ＬＣＤ３及びセレクトボタン５〜８は、特許請求の範囲における表示部及び操作体の一例である。
【００３８】
ファインダー２は、被写体が撮影される範囲を光学的に観察できるようにする光学ファインダーである。なお、光学ファインダーに代えて、図略のカラー液晶パネルや接眼レンズを備えてなる電子ビューファインダー（Electoronic View Finder  ＥＶＦ）でもよい。
【００３９】
ＬＣＤ３は、カラー液晶パネルを備えてなり、ライブビュー画像の表示や記録済みの画像の再生表示等を行うとともに、撮像装置１に搭載される機能やモードの設定画面を表示するものである。なお、ＬＣＤ３に代えて、有機ＥＬやプラズマ表示装置であってもよい。
【００４０】
また、本実施形態の撮像装置は、図示していないが、撮像装置１の電源のオンオフを切り替える電源ボタン、光電変換を行う撮像素子、撮像素子に被写体の光像を導くための撮像光学系、被写体からの反射光が不足する場合に該被写体に光を照射する内蔵フラッシュ、撮像素子の露光動作を指示する入力を行うシャッターボタン等、撮像機能を果たすために必要な部材を備えている。また、撮像装置は、動作モードとして、静止画や動画を撮影する撮影モードと記録済みの画像を再生する再生モードとを有し、これらのモード間でモードの切換えを指示する入力を行うためのモード切替スイッチを備えている。
【００４１】
本実施形態の撮像装置は、例えば前記撮影モードにおいて実行可能な撮影に関する機能を複数備えており、その機能を示す設定項目として、例えば「ドライブモード」、「画像サイズ」、「デジタルズーム」、「画質」、「露出モード」、「ホワイトバランス」、「測光モード」、「ＡＦモード」、「撮影感度」、「画像エフェクト」、「ボイスメモ」及び「日付写しこみ」がある。
【００４２】
これらの設定項目のうち、例えば「デジタルズーム」の設定項目は、撮像素子の画素データの一部を用いて拡大した画像を得る画像処理についての設定項目であり、その設定値として、例えばその処理を実行する「あり」の設定値と、該処理を実行しない「なし」の設定値がある。また、撮影感度は、撮像素子の感度についての設定項目であり、その設定値として、例えば「ＩＳＯ１００」，「ＩＳＯ２００」，「ＩＳＯ４００」及び「ＩＳＯ８００」の設定値がある。
【００４３】
図１に戻り、メニューボタン４は、本撮像装置１に備えられる前記各機能の設定開始を指示する入力を行うための部材であり、このメニューボタン４が押圧されると、後述するメインメニュー画面がＬＣＤ３に表示される。
【００４４】
セレクトボタン５〜８は、設定対象の機能（設定項目）の指定やその設定値の選択を行うための部材であり、本実施形態では、上下方向に一列に配置されている。セレクトボタン５〜８は、略同一の構成を有し、例えば図２に示すような構成を備える。
【００４５】
図２（ａ）は、セレクトボタン５〜８を撮像装置１の背面と直交する面で切断したときの断面図、図２（ｂ）は、図２（ａ）のＡ−Ａ線から見た矢視断面図である。
【００４６】
図２（ａ）に示すように、セレクトボタン５〜８は、基板９上に配設された複数の発光部１０〜１２と、同じく基板９上に設けられた第１電極１３及び第２電極１４と、導電性及び光透過性を有する材質からなる押圧部材１５とを備えて構成されている。発光部１０〜１２は、特許請求の範囲における発光体の一例である。
【００４７】
第１電極１３は、押圧部材１５と常時接触する電極である。押圧部材１５は、本実施形態では外縁が円形状の椀型に形成されており、第１電極１３は、この押圧部材１５の外縁部に接触するように円弧状（Ｃ字型）に形成された部位を有している。また、直線状に形成された第２電極１４は、第１電極１３に囲まれる領域の中心Ｏと、第１電極１３の円弧部分によって形成される間隙Ｓとを通るように配設されている。
【００４８】
発光部１０〜１２は、所定の配置形態、例えば前記中心Ｏを中心とする円周上に略等間隔で配置されており、互いに異なる色（例えば赤色、緑色及び青色）の光を発光する例えばＬＥＤ（light emitting diode）で構成されている。発光部１０〜１２は、後述する発光制御部１９の指令により発光制御（オンオフ制御）が行われるようになっており、発光部１０〜１２のうちいずれか１の発光部のみを発光させたり、複数の発光部を同時に発光させたりすることで、セレクトボタン５〜８は、複数の色を択一的に発光可能に構成されている。
【００４９】
複数の発光部を同時に発光させる場合、その同時に発光させる発光部の組合せに応じてセレクトボタン５〜８の色が変化する。したがって、１のセレクトボタンにつき、前述のように例えば赤色、緑色及び青色の異なる３種類の光を発光する発光部１０〜１２を設けた場合には、セレクトボタン５〜８をそれぞれ計７種類の色に変化させることができる。なお、一般的に、異なる色の光を発光するＬＥＤをｎ（個）備えたセレクトボタンにおいては、下記数１で表される個数の色に変化させることができる。
【数１】
2005311718.tif 000003
【００５０】
前記数１において「Ｃ」は、組合せを表す「combination」の頭文字である。ＬＥＤは、発光部の一例である。
【００５１】
押圧部材１５には、第２電極１４における前記中心Ｏに位置する部位と対向する部位に突起１５ａが設けられており、該押圧部材１５が矢印Ｂの方向に押圧されると、この突起１５ａが第２電極１４に接触する。押圧部材１５は、導電性を有する材質からなり、また第１電極１３と常時接触しているため、この突起１５ａが第２電極１４に接触すると、第１電極１３と第２電極１４とが電気的に接続される。後述する制御部１７は、この第１電極１３と第２電極１４との電気的に接続により出力される電気信号に基づき、そのセレクトボタン５〜８が操作されたことを検出する。
【００５２】
以上のような構成を備える本実施形態の撮像装置１は、前述の設定項目や設定値の選択に際し、ＬＣＤ３における設定項目や設定値の表示とセレクトボタン５〜８の発光制御とが対応付けられており、その対応付けの方法に主たる特徴を有している。以下、この特徴部分について説明する。
【００５３】
図３は、撮像装置１における前記特徴部分に関する電気的な構成を示すブロック図である。
【００５４】
図３に示すように、撮像装置１は、ＬＣＤ３と、入力操作部１６と、制御部１７とを有する。ＬＣＤ３は、図１に示すＬＣＤ３に相当するものであり、制御部１７から出力される画像信号を画像として表示する。入力操作部１６は、メニューボタン４及びセレクトボタン５〜８を含むものであり、入力操作部１６の操作信号は制御部１７に出力される一方、各セレクトボタン５〜８にそれぞれ備えられるＬＥＤ１０〜１２は、制御部１７により発光制御（オン・オフ）される。
【００５５】
制御部１７は、例えば制御プログラムを記憶するＲＯＭや一時的にデータを記憶するＲＡＭからなる後述の記憶部２０が内蔵されたマイクロコンピュータからなり、撮像装置１に備えられた各部材の駆動を互いに関連付けて制御するものである。また、制御部１７は、前述のＬＣＤ３における設定項目や設定値の表示とセレクトボタン５〜８の発光制御との対応付けを行うべく、ＬＣＤ３に画像（設定項目や設定値を表示した画面を含む）を表示させる表示制御部１８と、各セレクトボタン５〜８に備えられるＬＥＤ１０〜１２の発光制御（オン・オフ）を行う発光制御部１９とを有する。表示制御部１８及び発光制御部１９は、特許請求の範囲における表示制御部及び発光制御部に相当するものである。
【００５６】
以下、表示制御部１８及び発光制御部１９の具体的な動作について説明する。なお、前記設定項目及び設定値を含む全ての選択肢を総称して選択要素という。
【００５７】
前記各選択要素をＬＣＤ３に表示する場合、本実施形態ではそれらの選択要素は階層化されており、そのうち設定項目と設定値とは、設定項目が設定値の上層に位置付けられた２層構造となっている。したがって、或る設定項目に係る設定値の設定が行われる場合、まず、複数の設定項目を画面に表示し、その中から所望の設定項目が指定されると、その設定項目に係る複数の設定値を表示する態様となっている。
【００５８】
そして、所望の設定項目や設定値の設定を行うための設定画面について、１つの設定画面に表示される設定項目や設定値の数は、セレクトボタンの数（本実施形態では４つ）以下に設定されており、各設定画面における設定項目や設定値を、セレクトボタン５〜８の配置形態（上下方向に配置）と同様の配置形態（上下方向に配列）で表示する。
【００５９】
さらに、このように位置的に対応する設定項目や設定値の表示領域とセレクトボタン５〜８とについては、前記表示領域の色とセレクトボタン５〜８の発光色とを略同一とし、設定画面における設定項目や設定値とセレクトボタン５〜８とが対応付けられていることが視覚的に容易に分かるようにしている。
【００６０】
図４は、ＬＣＤ３に表示される設定画面の一例を示す図である。
【００６１】
前述した複数の設定項目のうち所望の設定項目について設定値の設定を行う場合、メニューボタン４を押圧することで各設定項目の名称が表示された画面がＬＣＤ３に表示され、その設定が可能となる。本実施形態では、撮像装置１に備えられた設定項目を１つの画面で表示できないためそれらを複数の画面に分けて表示し、メニューボタン４が押圧される毎に画面が切り替えられるようになっている。以下、設定項目を選択するための画面をメインメニュー画面という。
【００６２】
例えば、図４（ａ）〜（ｃ）は、前述した各設定項目をそれぞれ表示する３種類のメインメニュー画面を示したもので、図４（ａ）に示す第１のメインメニュー画面には、「ドライブモード」、「画像サイズ」、「デジタルズーム」及び「画質」の各設定項目がそれぞれ一定の表示領域を設けて表示される。また、図４（ｂ）に示す第２のメインメニュー画面には、「露出モード」、「ホワイトバランス」、「測光モード」及び「ＡＦモード」の各設定項目名が、図４（ｃ）に示す第３のメインメニュー画面には、「画像エフェクト」、「撮影感度」、「ボイスメモ」及び「日付写し込み」の各設定項目名がそれぞれ一定の表示領域を設けて表示される。
【００６３】
前記第１のメインメニュー画面は、メニューボタン４に対する最初の押圧操作により表示される。また、メニューボタン４が押圧される毎に、第１のメインメニュー画面→第２のメインメニュー画面→第３のメインメニュー画面→メニュー画面から抜ける→第１のメインメニュー画面→・・・と切り替えられる。
【００６４】
ここで、本実施形態では、図４（ａ）〜（ｃ）に示す各メインメニュー画面の表示に際し、各設定項目の表示領域は、設定項目ごとに互いに異なる色で表示されるとともに、メインメニュー画面の背景（設定項目の表示領域以外の所定領域）は、当該メインメニュー画面に表示されている設定項目の表示領域の色と異なる色に設定される。
【００６５】
また、メインメニュー画面間で画面の切替えが行われるたびに、背景の色を変化させるとともに、同一の位置に位置する表示領域の表示色を、１段ずつ所定の方向（図４（ａ）〜（ｃ）においては上方）にシフトしていくように変化させる。
【００６６】
例えば、図４（ａ）に示す第１のメインメニュー画面において、背景の色を「色１」、「ドライブモード」の表示領域の色を「色２」、「画像サイズ」の表示領域の色を「色３」、「デジタルズーム」の表示領域の色を「色４」、「画質」の表示領域の色を「色５」と表した場合、表示制御部１８は、第１のメインメニュー画面から第２のメインメニュー画面に切り替えるとき、背景の色を「色２」に変化させる。
【００６７】
また、表示制御部１８は、図４（ｂ）に示す第２のメインメニュー画面においては、上から１段目に位置する「露出モード」の表示領域の色を、第１のメインメニュー画面において上から２段目に位置する「画像サイズ」の表示色「色３」に、上から２段目に位置する「ホワイトバランス」の表示領域の色を、第１のメインメニュー画面において上から３段目に位置する「デジタルズーム」の表示色「色４」に、上から３段目に位置する「測光モード」の表示領域の色を、第１のメインメニュー画面において最下段に位置する「画質」の表示色「色５」に、そして、最下段に位置する「ＡＦモード」の表示領域の色を、第１のメインメニュー画面における背景の色「色１」にそれぞれ設定する。
【００６８】
さらに、表示制御部１８は、第２のメインメニュー画面から第３のメインメニュー画面に切り替えるとき、背景の色を「色２」から「色３」に変化させるとともに、１段目に位置する「画像エフェクト」の表示領域の色を、第２のメインメニュー画面において上から２段目に位置する「ホワイトバランス」の表示領域の色「色４」に、２段目に位置する「撮影感度」の表示領域の色を、第１のメインメニュー画面において上から３段目に位置する「測光モード」の表示領域の表示色「色５」に、３段目に位置する「ボイスメモ」の表示領域の色を、第１のメインメニュー画面において最下段に位置する「ＡＦモード」の表示色「色１」に、そして、最下段に位置する「日付写し込み」の表示領域の色を、第１のメインメニュー画面における背景の色「色２」にそれぞれ設定する。
【００６９】
なお、表示制御部１８は、各メインメニュー画面の名称（「メニュー１」，「メニュー２」及び「メニュー３」）を示す表示領域の表示色を、当該メインメニュー画面の背景色と同一の色に設定する。
【００７０】
このように、メニューボタン４の押圧操作に応じてその画面の背景色を変化させるようにしたので、ユーザは、メインメニュー画面が切り替わったことを視覚的に容易に確認することができる。
【００７１】
また、メインメニュー画面の切替わりに応じて各設定項目の表示領域の表示色を、１段ずつ上方向にシフトしていくように変化させるので、同一の表示領域に表示される設定項目が変化したことも容易に視認することができる。
【００７２】
一方、セレクトボタン５〜８は、その時点でＬＣＤ３に表示されているメインメニュー画面の複数の設定項目のうち、位置的に対応する設定項目の表示領域の色と略同一色となるようにその発光色が制御される。オンする発光部の組合せとセレクトボタン５〜８から発せられる色との関係は、予め記憶部２０にテーブル形式で記憶されており、セレクトボタン５〜８の発光色の制御は、その記憶部２０内のテーブルに基づいて１又は複数の発光部をオンすることで行われる。
【００７３】
すなわち、発光制御部１９は、ＬＣＤ３に例えば図４（ａ）に示す第１のメインメニュー画面が表示されているとき、「ドライブモード」の表示領域に位置的に対応するセレクトボタン５を「色２」に発光させ、「画像サイズ」の表示領域に位置的に対応するセレクトボタン６を「色３」に発光させ、「デジタルズーム」の表示領域に位置的に対応するセレクトボタン７を「色４」に発光させ、そして「画質」の表示領域に位置的に対応するセレクトボタン８を「色５」で発光させる。
【００７４】
また、発光制御部１９は、第１のメインメニュー画面から図４（ｂ）に示す第２のメインメニュー画面への切替えが行われたとき、「露出モード」の表示領域に位置的に対応するセレクトボタン５を「色３」に発光させ、「ホワイトバランス」の表示領域に位置的に対応するセレクトボタン６を「色４」に発光させ、「測光モード」の表示領域に位置的に対応するセレクトボタン７を「色５」に発光させ、そして「ＡＦモード」の表示領域に位置的に対応するセレクトボタン８を「色１」に発光させる。
【００７５】
さらに、表示制御部１９は、第２のメインメニュー画面から図４（ｃ）に示す第３のメインメニュー画面への切替えが行われたとき、「画像エフェクト」の表示領域に位置的に対応するセレクトボタン５を「色４」に発光させ、「撮影感度」の表示領域に位置的に対応するセレクトボタン６を「色５」に発光させ、「ボイスメモ」の表示領域に位置的に対応するセレクトボタン７を「色１」に発光させ、そして「日付写し込み」の表示領域に位置的に対応するセレクトボタン８を「色２」に発光させる。
【００７６】
このように、位置的に対応する設定項目の表示領域の色と略同一色となるようにセレクトボタン５〜８の発光色を制御することで、ＬＣＤ３に表示されている各設定項目とセレクトボタン５〜８との対応関係が視覚的に明確となり、所望の設定項目の選択操作を容易に行うことができる。
【００７７】
撮像装置１は、ＬＣＤ３にいずれかのメインメニュー画面が表示されている状態で、その画面に表示されている設定項目のうち所望の設定項目が、この設定項目に対応するセレクトボタン（前記所望の設定項目と同色に発光したセレクトボタン）が操作されることにより指定されると、その設定項目についての複数の設定値を一定の表示領域を設けて表示した画面をＬＣＤ３に表示する。以下、設定値を選択するための画面をサブメニュー画面という。
【００７８】
図４（ｄ），（ｅ）は、サブメニュー画面の一例を示す図である。
【００７９】
このサブメニュー画面においては、指定された設定項目の設定値が、その表示数がセレクトボタン５〜８の数を超えない範囲で表示される。例えば、前記第３のメインメニュー画面がＬＣＤ３に表示されている状態で、「撮影感度」の設定項目がセレクトボタン６を用いて指定されると、図４（ｄ）に示すように、複数の撮影感度の中から所望の撮影感度を設定可能なサブメニュー画面が表示される。撮影感度の設定値として「ＩＳＯ１００」，「ＩＳＯ２００」，「ＩＳＯ４００」及び「ＩＳＯ８００」が設定可能とされており、設定値の数がセレクトボタン５〜８の数と同数であるため、撮影感度の設定値は１のサブメニュー画面で表示される。
【００８０】
また、例えば、第１のメインメニュー画面がＬＣＤ３に表示されている状態で、「デジタルズーム」についての設定項目がセレクトボタン７を用いて指定されると、図４（ｅ）に示すように、デジタルズーム処理の要否を指定可能なサブメニュー画面が表示される。デジタルズームの設定値として「あり」及び「なし」が設定可能とされており、設定値の数がセレクトボタン５〜８の数より少ないため、デジタルズームの設定値は１のサブメニュー画面で表示される。
【００８１】
なお、指定された設定項目の設定値がセレクトボタン５〜８の数を超える場合には、各設定値を複数のサブメニュー画面に分けて表示するようにし、各サブメニュー画面で表示される設定値の数は、セレクトボタン５〜８の数以下に設定される。
【００８２】
このようなサブメニュー画面の表示に際し、本実施形態では、メインメニュー画面において指定された設定項目の表示色と、その設定項目のサブメニュー画面の背景色とが略同一とされている。また、各設定値の表示領域は、前記サブメニュー画面の背景色以外の色に設定し、且つ各表示領域間で互いに異なる色となるように設定されている。
【００８３】
例えば、図４（ｃ）に示す第３のメインメニュー画面において、「撮影感度」の設定項目がセレクトボタン６により指定されると、表示制御部１８は、図４（ｄ）に示すように、撮影感度の設定値を設定するためのサブメニュー画面を表示する。このとき、表示制御部１８は、このサブメニュー画面の背景色を、前記第３のメインメニュー画面における「撮影感度」の設定項目の表示色「色４」に設定する。さらに、表示制御部１８は、撮影感度の設定値「ＩＳＯ１００」，「ＩＳＯ２００」，「ＩＳＯ４００」及び「ＩＳＯ８００」の各表示領域を互いに異なる表示色「色６」，「色１」，「色２」及び「色３」に設定する。
【００８４】
その際、メインメニュー画面における設定項目の表示領域の表示色と、サブメニュー画面における設定値の表示領域の表示色との関係について、メインメニュー画面からサブメニュー画面に切り替わる時に、位置的に対応する表示領域の表示色が１段ずつ上方にシフトするように変化する。
【００８５】
例えば、第３のメインメニュー画面において「画像エフェクト」，「撮影感度」，「ボイスメモ」及び「日付写し込み」の表示領域の色が「色４」，「色５」，「色１」及び「色２」にそれぞれ設定されている状態で、第３のメインメニュー画面の「撮影感度」の設定項目がセレクトボタン７により指定されると、表示制御部１８は、撮影感度を設定するためのサブメニュー画面においては、このサブメニュー画面において１段目に位置する「ＩＳＯ１００」の表示領域の色を、新たな表示色「色６」に、２段目に位置する「ＩＳＯ２００」の表示領域の色を、第３のメインメニュー画面における上から３段目に位置する「ボイスメモ」の表示領域の表示色「色１」に、３段目に位置する「ＩＳＯ４００」の表示領域の色を、第３のメインメニュー画面における最下段に位置する「日付写し込み」の表示領域の表示色「色２」に、そして、最下段に位置する「ＩＳＯ８００」の表示領域の色を、第３のメインメニュー画面における背景の色「色３」に設定する。
【００８６】
また、この表示制御に対応して各セレクトボタン５〜８の色も変化させる。すなわち、発光制御部１９は、「ＩＳＯ１００」の表示領域に位置的に対応するセレクトボタン５を「色６」に発光させ、「ＩＳＯ２００」の表示領域に位置的に対応するセレクトボタン６を「色１」に発光させ、「ＩＳＯ４００」の表示領域に位置的に対応するセレクトボタン７を「色２」に発光させ、そして「ＩＳＯ８００」の表示領域に位置的に対応するセレクトボタン８を「色３」に発光させる。
【００８７】
なお、例えば「デジタルズーム」の設定項目については、前述したようにデジタルズーム処理の要否を選択するものであり、その設定値として「あり」及び「なし」の２つしかない。このように、設定値の数がセレクトボタン５〜８の数より少ないときには、表示制御部１８は、設定項目が対応付けられていないセレクトボタンについては消灯させる。
【００８８】
すなわち、図４（ａ）に示す第１のメインメニュー画面において、「デジタルズーム」の設定項目がセレクトボタン７により指定されると、表示制御部１８は、図４（ｅ）に示すように、デジタルズームの設定値を設定するためのサブメニュー画面を表示する。このとき、表示制御部１８は、このサブメニュー画面の背景色を、「色１」から第１のメインメニュー画面における「デジタルズーム」の表示領域の表示色「色４」に変化させる。また、表示制御部１８は、デジタルズームの設定値「あり」及び「なし」の各表示領域を、表示色「色５」及び「色１」に設定する。
【００８９】
また、この表示制御に対応して、発光制御部１９は、「あり」の表示領域に位置的に対応するセレクトボタン５を「色５」に発光させ、「なし」の表示領域に位置的に対応するセレクトボタン６を「色１」に発光させる。また、発光制御部１９は、セレクトボタン７，８は対応する設定値が無いからオフされる。これにより、セレクトボタンの不要な操作や誤操作の発生を防止又は抑制することができる。
【００９０】
次に、上述のように構成された撮像装置１の動作を説明する。図５は、撮像装置の動作の一例を示すフローチャートである。
【００９１】
図５に示すように、撮影モードに設定されている状態でメニューボタン４が押圧操作されると（ステップ♯１でＹＥＳ）、表示制御部１８は、ＬＣＤ３に図４（ａ）に示すメインメニュー画面を表示させ、発光制御部１９は、そのメインメニュー画面に表示されている設定項目の表示色に対応してセレクトボタン５〜８を発光させる（ステップ♯２）。このとき、メインメニュー画面に表示される設定項目の表示領域は互いに異なる色で表示されるとともに、その背景の色は、設定項目の表示領域と異なる色に設定される。
【００９２】
また、さらにメニューボタン４の操作があると（ステップ♯３でＹＥＳ）、表示制御部１８は、メインメニュー画面間で画面の切替えを行う（ステップ♯４）。表示制御部１８は、メニューボタン４が押圧操作されるたびに、ステップ♯３及び♯４の処理を繰り返し行う。このとき、メインメニュー画面間で画面の切替えが行われるたびに、背景の色を変化させるとともに、同一の位置に位置する表示領域の表示色を、１段ずつ上方にシフトしていくように変化させる。
【００９３】
そして、セレクトボタン５〜８のうちいずれかのセレクトボタンの操作が行われると（ステップ♯５でＹＥＳ）、表示制御部１８は、操作が行われたセレクトボタンに対応する設定項目の設定値を表示したサブメニュー画面をＬＣＤ３に表示させ、発光制御部１９は、そのサブメニュー画面に表示されている設定値の表示領域の表示色に対応してセレクトボタン５〜８を発光させる（ステップ♯６）。このとき、表示制御部１８は、メインメニュー画面において指定された設定項目の表示色と、その設定項目のサブメニュー画面の背景色とを略同一とし、且つ、各設定値の表示領域は、前記サブメニュー画面の背景色以外の色に設定し、各表示領域間で互いに異なる色となるように設定する。また、表示制御部１８は、メインメニュー画面からサブメニュー画面に切り替わる時に、対応する表示領域の表示色が１段ずつ上方にシフトするように設定する。
【００９４】
次に、セレクトボタン５〜８のうちいずれかのセレクトボタンの操作が行われ、メニューボタン４が操作されると（ステップ♯７，♯８でそれぞれＹＥＳ）、表示制御部１８は、ＬＣＤ３の表示を撮影画像の表示に切替え、発光制御部１９は、セレクトボタンをオフする（ステップ♯９）。
【００９５】
以上のように、メインメニュー画面やサブメニュー画面において表示される設定項目やその設定値の表示色とセレクトボタン５〜８の発光色とを略同一にしたので、その設定項目や設定値とセレクトボタン５〜８との対応関係をユーザに容易に視認させることができ、高い操作性を有する撮像装置１を実現することができる。
【００９６】
また、設定項目や設定値の表示領域を背景色と異なる色で表示するようにしたので、設定項目や設定値の表示領域が背景と視覚的に区別が付かなくなるのを防止又は抑制することができる。
【００９７】
また、メインメニュー画面間で画面を切替えるとき、及びメインメニュー画面からサブメニュー画面に切り替える時に、同一の表示領域の表示色を、１段ずつ上方向にシフトしていくように変化させるようにしたので、同一の表示領域に表示される設定項目が変化したことも容易に視認することができる。
【００９８】
また、メインメニュー画面やサブメニュー画面における設定項目や設定値を、セレクトボタン５〜８の配置形態と同様の配置形態で表示するようにしたので、設定項目や設定値とセレクトボタンとの対応関係の視認性をより一層向上させることができる。
【００９９】
そして、１つのセレクトボタンに対して互いに異なる色を発光する複数の発光部１０〜１２を備え、セレクトボタンを、発光させる発光部の組合せを変えることで複数の色を択一的に発光する構成としたので、セレクトボタンが複数の色を択一的に発光する構成を比較的簡単な構成で実現することができる。
【０１００】
さらに、例えば撮影感度を「ＩＳＯ８００」に設定する場合、メニューボタン４を３回押圧操作して図４（ｃ）に示す第３のメインメニュー画面をＬＣＤ３に表示させ、撮影感度の表示領域に対応するセレクトボタン６を１回押圧操作して図４（ｄ）に示すサブメニュー画面を表示させるとともに、セレクトボタン８を１回押圧操作した後、メニューボタン４を１回押圧操作することとなり、合計６回のボタン操作で済む。前述の従来技術で説明した十字キーを用いた入力装置にあっては、合計９回の操作が必要であったことから、本実施形態では、操作回数も従来に比して低減することができる。
【０１０１】
また、メインメニュー画面間で画面が切換えられるとき、あるいはメインメニュー画面からサブメニュー画面に切換えられるとき、背景の色を変化させるようにしたので、ユーザは、画面の切換えを容易に確認することができる。
【０１０２】
また、メインメニュー画面やサブメニュー画面で設定項目や設定値が割り当てられていないセレクトボタンについてはオフするようにしたので、不要な操作や誤操作の発生を抑制又は防止することができ、節電に貢献することができる。
【０１０３】
また、メインメニュー画面からサブメニュー画面に切替えるときに、メインメニュー画面において指定された設定項目の表示色と、その設定項目のサブメニュー画面の背景色とを同一にしたので、ＬＣＤ３に表示された設定値が選択した設定項目の下層に位置付けられたものであることをユーザに容易に視認させることができる。
【０１０４】
なお、本発明は、前記第１の実施形態に加えて、あるいは第１の実施形態に代えて次の（１）〜（９）に説明する変形形態も採用可能である。
【０１０５】
（１）第１の実施形態では、設定項目の数がセレクトボタン５〜８の数を超えるとき、これらの設定項目を複数のメインメニュー画面に分けて表示し、メニューボタン４を押圧するたびに、それらのメインメニュー画面間で画面が切換えられるようにしたが、これに限らず、各設定項目を表示する画面を区別するための画像を１のメインメニュー画面の中に表示するとともに、該画像とセレクトボタン５〜８とを対応付けて、セレクトボタン５〜８によりＬＣＤ３に表示させる画面を指定できるようにすると更に好ましい。また、設定値の数がセレクトボタン５〜８の数を超えるときにも、各設定値を表示する画面を区別するための画像を１のメインメニュー画面の中に表示するとともに、該画像とセレクトボタン５〜８とを対応付けて、セレクトボタンによりＬＣＤ３に表示させる画面を指定できるようにするとよい。
【０１０６】
例えば図６（ａ），（ｂ）は、所定の位置に突起（以下、インデックス部という）ＩＤＸ１〜ＩＤＸ３が設けられた積層状態の複数のシートにそれぞれ複数の設定項目が記載されている状態を仮想的に表した画面を示している。各インデックス部ＩＤＸ１〜ＩＤＸ３は、互いにオフセットさせて設けられており、シートの数が一目で認識できるようになっている。例えば図６（ａ），（ｂ）においては、３枚のシートがあり、撮像装置１に備えられる各種の設定項目が３つのグループに分けられていることが一目で分かる。
【０１０７】
各シートのインデックス部ＩＤＸ１〜ＩＤＸ３には、シート名（「シート１」等）が互いに異なる色で表示されている。また、シート１〜３とセレクトボタン６〜８とがそれぞれ１対１で対応付けられており、各セレクトボタン６〜８は、対応するインデックスの色を発光する。
【０１０８】
例えば、図６（ａ）においては、最上位置のセレクトボタン５はオフされ、「シート１」に対応するセレクトボタン６は、シート１のインデックス部ＩＤＸ１の表示色「色７」に発光し、「シート２」に対応するセレクトボタン７は、シート２のインデックス部ＩＤＸ２の表示色「色８」に発光し、「シート３」に対応するセレクトボタン８は、シート３のインデックス部ＩＤＸ３の表示色「色９」に発光する。
【０１０９】
この状態において、いずれかセレクトボタンに対して押圧操作を行うと、該セレクトボタンに対応するシートが最表面の位置（画面の最も手前側の位置）に現れ、そのシートに対応する設定項目が画面に表示される。このとき、このシート１〜３の各インデックス部ＩＤＸ１〜ＩＤＸ３は、それぞれ無彩色となり、且つシート３が選択されたことが一目で認識できるように、選択されていないシートのインデックス部の表示に対して反転表示される。すなわち、図６（ｂ）においては、シート１，２のインデックス部ＩＤＸ１，ＩＤＸ２について、例えば文字が黒色でその周囲が白色で表示されるとき、シート３のインデックス部ＩＤＸ３については、例えば文字が白色でその周囲が黒色で表示される。
【０１１０】
図６（ｃ），（ｄ）は、前記と同様、所定の位置にインデックス部ＩＤＸ４，ＩＤＸ５が設けられた積層状態の複数のシートにそれぞれ複数の設定値が記載されている状態を擬似的に表した画面を示している。各インデックス部ＩＤＸ４，ＩＤＸ５は、互いにオフセットさせて設けられており、シートの数が一目で認識できるようになっている。例えば図６（ｃ），（ｄ）においては、２枚のシートがあり、図６（ａ），（ｂ）に示す画面において指定された設定項目についての設定値が２つのグループに分けられていることが一目で分かる。
【０１１１】
図６（ｃ），（ｄ）においては、設定値が２つのグループ（２枚のシート）に分けられている例であるため、シートの区別は、インデックス部の着色の有無で行うことができ、表面側のシートのインデックス部ＩＤＸ５は無着色とされ、裏面側のシートのインデックス部ＩＤＸ４は着色されている。そして、インデックス部ＩＤＸ４が無着色のシートに表示されている設定値とセレクトボタン５〜７とがそれぞれ１対１で対応付けられており、各セレクトボタン５〜７は、対応する設定項目の表示領域の色に発光し、セレクトボタン８は、裏面側の位置するシートのインデックス部ＩＤＸ５の色に発光する。
【０１１２】
例えば、図６（ｃ）においては、セレクトボタン５は、設定値「ＩＳＯ１００」の表示領域の色「色１２」に発光し、セレクトボタン６は、設定値「ＩＳＯ２００」の表示領域の色「色１３」に発光し、セレクトボタン７は、設定値「ＩＳＯ４００」の表示領域の色「色１４」に発光するとともに、セレクトボタン８は、裏面側に位置するシートのインデックス部ＩＤＸ５の表示色「色１５」に発光する。
【０１１３】
この状態において、セレクトボタン８に対して押圧操作を行うと、図６（ｄ）に示すように、該セレクトボタン８に対応するシートが最表面の位置に現れ、そのシートに対応する設定項目が画面に表示されるとともに、インデックス部が着色されるシートが切換わり、且つ裏面側に位置することとなったシートのインデックス部ＩＤＸ４とセレクトボタン８とが対応することとなる。
【０１１４】
なお、図６（ｃ），（ｄ）においては、画面が切換わっても、設定項目を表示する同一の表示領域の表示色は変化していないが、変化させるようにしてもよい。
【０１１５】
このように、各画面を区別するための画像（インデックス部ＩＤＸ１〜ＩＤＸ５）を１の画面の中に表示し、該画像とセレクトボタン５〜８とを対応付けて、ＬＣＤ３に表示させる画面をセレクトボタンによって指定できるようにすると、第１の実施形態に比してより操作回数を低減することができる。
【０１１６】
すなわち、第１の実施形態では、例えば撮影感度の設定項目を指定するのにメニューボタン４を３回押圧操作する必要があるが、本実施形態では、メニューボタン４を１回押圧操作した後、シート３のインデックス部ＩＤＸ３に対応するセレクトボタン８を１回押圧するだけでよい。本実施形態に係る技術は、設定項目や設定値を表示する画面が多くなるほど有効となる。
【０１１７】
（２）設定項目や設定値の数がセレクトボタン５〜８の数を超えるとき、前記第１の実施形態のようにそれらの設定項目を複数の画面に分けてＬＣＤ３に表示したり、前記変形形態（１）のようにシート形式でＬＣＤ３に表示したりする形態の他に、例えば次のようにしてもよい。
【０１１８】
図７は、例えば設定値の数がセレクトボタン５〜８の数を超える場合に、それらの設定値をスクロール表示するようにしたものを示している。すなわち、図７（ａ）に示すように、各設定値の表示領域の表示色を互いに異なる色で表示するとともに、設定値が現時点で表示されているもの以外に存在することを示すマークＭを、その時点で画面に表示されている設定値の表示色と異なる色で表示する。また、セレクトボタン５〜８を、位置的に対応する設定値又はマークＭの表示色と同じ色に発光させる。
【０１１９】
そして、図７（ｂ）に示すように、前記マークＭに対応するセレクトボタン８を操作するたびに、設定値が上方にスクロールして表示される。このとき、スクロール後の画面における各設定値及びマークＭの表示領域の表示色は、スクロール前における同じ位置に位置する設定値及びマークＭに対し表示色が１つずつシフトするように表示され、これに伴ってセレクトボタンの発光色も変更される。すなわち、マークＭに対応するセレクトボタン８が１回押圧された場合のスクロール前の画面とスクロール後の画面とでは、同一の設定値を表示する表示領域が同色に設定される。
【０１２０】
そして、図７（ｃ）においては、これ以上設定値が存在しないため、図７（ａ）や（ｂ）のようなマークＭは表示されず、これに伴ってセレクトボタン８が消灯される。
【０１２１】
このように、設定項目や設定値が現時点で表示されているもの以外に存在することを示すマークＭを表示し、マークＭに対応するセレクトボタン８を操作するたびに、設定項目や設定値をスクロール表示する表示形態とし、設定項目又は設定値及びマークＭとセレクトボタン５〜８とを対応付けることで、第１の実施形態や前記変形形態（１）と同様、高い操作性を有する撮像装置１を実現することができる。
【０１２２】
また、マークＭに対応するセレクトボタン８が１回押圧された場合のスクロール前の画面とスクロール後の画面とで、同一の設定値を表示する表示領域を同色に設定するようにしたので、選択要素がスクロール表示されていることを容易に視認することができる。
【０１２３】
（３）セレクトボタン５〜８に備えられる第１電極１３の形状は図２に示すものに限られず、例えば押圧部材１５が四角形状の場合は、第１電極１３のうち前記第１の実施形態では、円弧状（Ｃ字型）に形成された部位を四角形状に形成すればよく、要は、押圧部材１５が押圧されたときに、この押圧部材１５を介して第１電極１３と第２電極１４とが電気的に接続されるものであれば、第１電極１３，第２電極１４及び押圧部材１５は、どのように形成してもよい。
【０１２４】
（４）第１の実施形態では、メインメニュー画面間で画面が切換えられるとき、あるいはメインメニュー画面からサブメニュー画面に切換えられるとき、背景の色と設定項目の色との両方を変化させるようにしたが、いずれか一方の色のみ変化させるようにしてもよい。
【０１２５】
（５）第１の実施形態では、メインメニュー画面の切替わりに応じて各設定項目の表示領域の表示色を、１段ずつ上方向にシフトしていくように変化させたが、シフト方向は下方向でもよく、また、シフト間隔は２段ずつや３段ずつでもよい。
【０１２６】
（６）各画面における設定項目や設定値の最大数は、図４等に示したように４つに限られるものではなく、セレクトボタンの数以下であればいくつでもよい。また、各画面における設定項目や設定値の配置形態及びセレクトボタンの配置形態は、図１や図４等に示したように上下に一列に配置する形態に限られず、例えば図８（ａ）に示すように、マトリックス状に配置する形態でもよいし、あるいは図８（ｂ）に示すように、左右に一列に配置する形態でもよく、要は、セレクトボタンの配置形態と同様の配置形態で設定項目や設定値を配置し、位置的に対応するセレクトボタンの表示色と設定項目等の表示領域の表示色とを対応付けるようにすればよい。
【０１２７】
（７）セレクトボタンにより設定項目や設定値が指定されたときに背景色を変化させて、設定項目や設定値の指定が撮像装置１に受け付けられたことを報知するようにすると、ユーザに、設定項目等の指定が撮像装置１に受け付けられたことを容易に認識させることができる。
【０１２８】
（８）セレクトボタンに備える発光部の数は、３つに限らず、いくつでも良く、セレクトボタンに要求される発光色の数と発光部の増加によるコストアップやセレクトボタンの大型化との兼ね合いを考慮して設定すればよい。また、前記第１の実施形態では、発光部１０〜１２のうち発光させる対象の発光部の組合せを変えることで、セレクトボタンの色を変化させるようにしたが、各発光部の発光強度を変えるようにすると、さらにセレクトボタンの色のバリエーションを増加させることができる。特に、発光部として、光の三原色である青、赤、緑の各色を発光する発光部を備え、各発光部の発光強度を変えることで、セレクトボタンをフルカラーで発光させることができる。
【０１２９】
（９）本発明は、前述の撮像装置に限らず、例えば携帯電話、ＰＤＡ（Personal Digital Assistants）などの他の電子機器にも採用可能である。
【図面の簡単な説明】
【０１３０】
【図１】本発明に係る入力装置を搭載した電子機器の一例である撮像装置の外観の構成を示す背面図である。
【図２】（ａ）は、セレクトボタンを撮像装置の背面と直交する面で切断したときの断面図、（ｂ）は、（ａ）のＡ−Ａ線から見た矢視断面図である。
【図３】撮像装置における前記特徴部分に関する電気的な構成を示すブロック図である。
【図４】ＬＣＤに表示される設定画面とセレクトボタンとの関係を示す図である。
【図５】撮像装置の動作の一例を示すフローチャートである。
【図６】変形形態（１）を説明するための図である。
【図７】変形形態（２）を説明するための図である。
【図８】変形形態（６）を説明するための図である。
【図９】従来の技術の説明図である。
【図１０】従来の技術の説明図である。
【図１１】従来の技術の説明図である。
【符号の説明】
【０１３１】
３  ＬＣＤ
４  メニューボタン
５〜８  セレクトボタン
１０〜１２  発光部（発光体）
１３  第１電極
１４  第２電極
１５  押圧部材
１６  入力操作部
１７  制御部
１８  表示制御部
１９  発光制御部
２０  記憶部
【図１】
2005311718.tif 000004
【図２】
2005311718.tif 000005
【図３】
2005311718.tif 000006
【図４】
2005311718.tif 000007
【図５】
2005311718.tif 000008
【図６】
2005311718.tif 000009
【図７】
2005311718.tif 000010
【図８】
2005311718.tif 000011
【図９】
2005311718.tif 000012
【図１０】
2005311718.tif 000013
【図１１】
2005311718.tif 000014